(57)【要約】【課題】  厚さが異なる種々のガラスに対応して格子を取り付けることができるとともに、ガラスと格子との離間距離を常に一定に保つことが可能な開口部装置を提供する。【解決手段】  本発明の開口部装置は、建物の開口に設けられる枠体と、この枠体内に開閉自在に設けられるドア本体１と、ドア本体１に設けられた開口部２２内に嵌め込み装着されるガラス２０と、ガラス２０の周縁を押える押え体３４と、開口部２２を横断するようにガラス２０の外側に配置される格子３０とを備える開口部装置であって、格子３０を押え体３４に対して着脱自在に取り付けるための取り付け手段４０を備えていることを特徴とする。【選択図】      図３
2006226005.tif 000002
【特許請求の範囲】
【請求項１】
建物の開口に設けられる枠体と、この枠体内に開閉自在に設けられるドア本体と、前記ドア本体に設けられた開口部内に嵌め込み装着されるガラスと、前記ガラスの周縁を押える押え体と、前記開口部を横断するように前記ガラスの外側に配置される格子とを備える開口部装置であって、前記格子を前記押え体に対して着脱自在に取り付けるための取り付け手段を備えていることを特徴とする開口部装置。
【請求項２】
前記取り付け手段は、前記押え体に対する前記格子の相対的な移動を許容し、それにより、前記格子と前記ガラスとの間の離間距離を調整可能にすることを特徴とする請求項１に記載の開口部装置。
【発明の詳細な説明】
【技術分野】
【０００１】
本発明は、建物の開口に取り付けられる玄関ドア等の開口部装置に関する。
【背景技術】
【０００２】
一般に、ドアは、建物の開口に設けられる枠体と、この枠体内にヒンジを介して開閉自在に設けられるドア本体とを備えている。また、このドア本体には、装飾や採光を目的としてガラスが装着される場合がある。
【０００３】
前記ドア本体にガラスを装着する場合には、例えば、ドア本体に開口部を設け、この開口部内にガラスが嵌め込み装着される。この時、前記ガラスの周縁が押え体によって押えられ、また、前記ガラスの外側には前記開口部を横断するように装飾用またはガラス保護用として格子が取り付けられる場合もある（例えば、特許文献１参照）。
【０００４】
【特許文献１】特開平６−１４６７４７号公報
【発明の開示】
【発明が解決しようとする課題】
【０００５】
ところで、特許文献１のように、ドア本体の開口部内にガラスを装着し且つその外側に格子を取り付ける場合には、一般に、格子と一体に形成された前記押え体が前記開口部（前記ガラス）の周縁に装着される。
【０００６】
しかしながら、このように押え体と格子とが一体に形成されていると、ガラスは様々な厚さを有していることから、格子とガラスとの間の距離を常に一定に保つことができなかったり、あるいは、ガラスの厚さに合わせてその都度専用の格子一体型押え体を製造しなければならず、デザインおよびコストの面で様々な問題が生じる。
【０００７】
本発明は、前記事情に鑑みて為されたもので、厚さが異なる種々のガラスに対応して格子を取り付けることができるとともに、ガラスと格子との離間距離を常に一定に保つことが可能な開口部装置を提供することを目的とする。
【課題を解決するための手段】
【０００８】
前記目的を達成するために、請求項１に記載の開口部装置は、建物の開口に設けられる枠体と、この枠体内に開閉自在に設けられるドア本体と、前記ドア本体に設けられた開口部内に嵌め込み装着されるガラスと、前記ガラスの周縁を押える押え体と、前記開口部を横断するように前記ガラスの外側に配置される格子とを備える開口部装置であって、前記格子を前記押え体に対して着脱自在に取り付けるための取り付け手段を備えていることを特徴とする。
【０００９】
この請求項１に記載の開口部装置においては、格子を押え体に対して着脱自在に取り付けるための取り付け手段が設けられているため、すなわち、格子と押え体とが一体ではなく（格子と押え体とが別個の部材から成り）且つ取り付け手段を介して格子を押え体に対して取り付けることができるため、厚さが異なる種々のガラスに対応して格子を取り付けることが可能になり、また、ガラスの厚さによらず格子とガラスとの間の距離を一定に保つことも可能になる。したがって、ガラスの厚さに合わせてその都度専用の格子および押え体を製造しなくて済む。
【００１０】
また、請求項２に記載の開口部装置は、請求項１に記載された開口部装置において、前記取り付け手段は、前記押え体に対する前記格子の相対的な移動を許容し、それにより、前記格子と前記ガラスとの間の離間距離を調整可能にすることを特徴とする。
【００１１】
この請求項２に記載の開口部装置においては、前記押え体に対する前記格子の相対的な移動が可能となり、それにより、前記格子と前記ガラスとの間の離間距離を調整できるため、ガラスの厚さとは無関係にガラスと格子との離間距離を常に一定に保つことができる。
【発明の効果】
【００１２】
本発明の開口部装置によれば、格子を押え体に対して着脱自在に取り付けるための取り付け手段が設けられているため、厚さが異なる種々のガラスに対応して格子を取り付けることができる。また、前記押え体に対する前記格子の相対的な移動を許容し、それにより、前記格子と前記ガラスとの間の離間距離を調整できるため、ガラスの厚さとは無関係にガラスと格子との離間距離を常に一定に保つことができる。
【発明を実施するための最良の形態】
【００１３】
以下、図面を参照しながら、本発明の実施形態について説明する。
図１に示すように、本発明の実施形態に係る開口部装置は、建物の開口に設けられる枠体（図示せず）と、この枠体内にヒンジを介して開閉自在に設けられるドア本体１とを備えている。また、ドア本体１には、装飾や採光を目的として例えば複層ガラス（ペアガラス）２０が装着されている。具体的には、ドア本体１の上下にわたって長尺な開口部２２が設けられ、この開口部２２内に複層ガラス２０が嵌め込み装着されている。また、複層ガラス２０の外側（室内側）には、開口部２２を横断するように装飾用またはガラス保護用の格子３０が設けられている。なお、図１において、格子３０は、開口部２２を横方向（左右方向）に横断しているが、格子３０の横断方向はこれに限らず、例えば図２に示すように格子３０が開口部２２を縦方向（上下方向）に横断していても構わない。また、ガラス２０も複層形態に限らない。
【００１４】
図３に示すように、ドア本体１は、断熱材２と、室外に面する断熱材２の外側面に設けられる外側表面材３と、室内に面する断熱材２の内側面に設けられる内側表面材４などから主に構成されている。
【００１５】
また、前述したように、ドア本体１の開口部２２には、装飾や採光を目的として例えば断熱性を有する複層ガラス（ペアガラス）２０が嵌め込み装着されており、複層ガラス２０の外側（室内側）には、開口部２２を横断するように装飾用またはガラス保護用の格子３０が設けられている。なお、複層ガラス２０の一方のガラス体は、内部にフィルム３９が挿入された合せガラスとして形成されている。
【００１６】
複層ガラス２０の取付構造を更に具体的に説明すると、開口部２２の周縁に支持枠部材２６（例えばアルミニウム合金の押出形材から成る）が嵌め込まれて装着されており、この支持枠部材２６には、室外側からガラス２０を押える外側押え体３２と、室内側からガラス２０を押える内側押え体３４とが取り付けられている。この場合、外側押え体３２は、支持枠部材２６の一部と軟質押え部材３６とから成る。また、内側押え体３４は、図４〜図７にも示すように、額縁部材３４ａと、ガラス２０の周縁を押える軟質押え部材３４ｃおよび硬質押え部材３４ｂとから成る。軟質押え部材３４ｃおよび硬質押え部材３４ｂは一体に形成されている。軟質押え部材３４ｃは、先端側の部分を切り離すことにより、高さを低くできるようになっている。
【００１７】
また、本実施形態の開口部装置には、格子３０を内側押え体３４に対して着脱自在に取り付けるための取り付け手段が設けられている。具体的には、この取り付け手段は、図４〜図７に示すように、額縁部材３４ａの側面に形成された一対の長穴５０と、格子３０の端部に着脱自在に嵌め付けられるパッキン部材４０とから成る。パッキン部材４０は、例えば、合成ゴム、軟質合成樹脂等のエラストマーなどから成る。パッキン部材４０は、ガラス２０に当接される当接部４０ａと、格子３０の端部に嵌挿される取付部４０ｂとを有しており、取付部４０ｂには、額縁部材３４ａの長穴５０と係合する一対の係合突起４３が形成されている。
【００１８】
次に、ドア本体１の開口部２２に格子３０取り付ける方法について簡単に説明する。
まず、図４および図５に示す分解された状態から、図６に示すようにパッキン部材４０の取付部４０ｂを格子３０の端部に嵌め付けて装着するとともに、図３に示すように、パッキン部材４０の当接部４０ａをガラス２０の表面上に当接させて、ガラス２０の上にパッキン部材４０を介して格子３０を載置する。
次いで、軟質押え部材３４ｃの先端部がパッキン部材４０の当接部４０ａを圧接するようにして、硬質押え部材３４ｂを支持枠部材２６上に載置し、クリップ３５と硬質押え部材３４ｂとをネジ４７で支持枠部材２６に共締めして固定する。
【００１９】
最後に、額縁部材３４ａの長穴５０にパッキン部材４０の係合突起４３が嵌まり込むようにしつつ、額縁部材３４ａを押し込んで、クリップ３５の係合部に嵌合して固定する。なお、額縁部材３４ａは、必要に応じてさらにネジ等により支持枠部材２６に固定するようにしてもよい。
なお、格子３０の他方の端部も同様にして固定される。
このようにして、格子３０の端部にはパッキン部材４０の取付部４０ａが嵌め込まれている一方、このパッキン部材４０ａの当接部４０ａが軟質押え部材３４ｃの先端部により押え付けられることにより、格子３０がガラス２０と一定の距離をおいて取り付けられる。
【００２０】
このような取り付け構造によれば、厚さが異なる種々のガラスに対応して格子を取り付けることが可能になり、また、ガラスの厚さによらず格子とガラスとの間の距離を一定に保つことも可能になる。これは、長穴５０に沿ってパッキン部材４０の係合突起４３を移動させることができ、内側押え体３４に対して格子３０を相対的に移動させることができるからである。したがって、厚さが異なる種々のガラスに対応して、格子３０とガラスとの間の離間距離を調整することができる。すなわち、図３に示す合せガラスを有する複層ガラス２０の厚さＴ１よりも薄い厚さＴ２を有する複層ガラス２０Ａ（網ガラス＋合せガラス）に対して格子３０を取り付ける場合（図８参照）であっても、図３の状態からパッキン部材４０の係合突起４３が長穴５０に沿って距離Ｓ１だけ移動するだけ（図３の場合には、格子３０の室内側面と額縁部材３４ａの室内側面とが略面一となっている。）で、ガラス２０Ａと格子３０との間の離間距離Ｌを図３のそれと同一に設定することができる。また、同様に、図３に示す合せガラスを有する複層ガラス２０の厚さＴ１よりも薄い厚さＴ３を有する複層ガラス２０Ｂ（標準ガラス）に対して格子３０を取り付ける場合（図９参照）であっても、図３の状態からパッキン部材４０の係合突起４３が長穴５０に沿って距離Ｓ２だけ移動するだけで、ガラス２０Ｂと格子３０との間の離間距離Ｌを図３のそれと同一に設定することができる。更に、図１０に示すような防火用の網入りガラス２０Ｃにあっても、図３と同様の状態で取り付けることができる。
【００２１】
以上のように、本実施形態の開口部装置においては、格子３０を内側押え体３４に対して着脱自在に取り付けるための取り付け手段が設けられているため、すなわち、格子３０と内側押え体３４とが一体ではなく（格子３０と内側押え体３４とが別個の部材から成り）且つ取り付け手段を介して格子３０を内側押え体３４に対して取り付けることができるため、厚さが異なる種々のガラスに対応して格子３０を取り付けることが可能になり、また、ガラスの厚さによらず格子３０とガラス２０，２０Ａ，２０Ｂ，２０Ｃとの間の距離Ｌを一定に保つことも可能になる。したがって、ガラスの厚さに合わせてその都度専用の格子および押え体を製造しなくて済む。
【００２２】
また、本実施形態の開口部装置においては、内側押え体３４に対する格子３０の相対的な移動が可能となり、それにより、格子３０とガラス２０との間の離間距離を調整できるため、ガラス２０の厚さとは無関係にガラス２０と格子３０との離間距離を常に一定に保つことができる。
【産業上の利用可能性】
【００２３】
本発明は、建物の開口に開閉可能に取り付けられる玄関ドア等の様々な開口部装置に適用することができる。
【図面の簡単な説明】
【００２４】
【図１】（ａ）は本発明の実施形態に係るドア本体を室内側から見た正面図、（ｂ）は（ａ）のドア本体を室外側から見た正面図である。
【図２】（ａ）は本発明の変形例に係るドア本体を室内側から見た正面図、（ｂ）は（ａ）のドア本体を室外側から見た正面図である。
【図３】ドア本体に対する格子の取り付け構造における第１の態様を示す断面図である。
【図４】格子およびその取り付け部品の完全分解斜視図である。
【図５】格子およびその取り付け部品の完全分解斜視図である。
【図６】格子およびその取り付け部品の部分分解斜視図である。
【図７】格子およびその取り付け部品の組立斜視図である。
【図８】ドア本体に対する格子の取り付け構造における第２の態様を示す断面図である。
【図９】ドア本体に対する格子の取り付け構造における第３の態様を示す断面図である。
【図１０】ドア本体に対する格子の取り付け構造における第４の態様を示す断面図である。
【符号の説明】
【００２５】
１    ドア本体
２０    ガラス
２２    開口部
３０    格子
３４    内側押え体
４０    パッキン部材（取り付け手段）
５０    長穴（取り付け手段）
【図１】
2006226005.tif 000003
【図２】
2006226005.tif 000004
【図３】
2006226005.tif 000005
【図４】
2006226005.tif 000006
【図５】
2006226005.tif 000007
【図６】
2006226005.tif 000008
【図７】
2006226005.tif 000009
【図８】
2006226005.tif 000010
【図９】
2006226005.tif 000011
【図１０】
2006226005.tif 000012